(57)【要約】【課題】高電流の計測を可能にし且つプリント回路における表面実装に適しており且つ小型の寸法を提供する、集積型電流センサを提供する。【解決手段】使用において計測されるべき電流がそれに沿って流れる、トラック（１６）を具備するプリント回路における使用のための表面実装式集積電流センサ（１）は、使用において該プリント回路（２）に面する底面（１４）を有するパッケージ（３）を具備しており、該パッケージは、使用において該計測されるべき電流がそれを横切るような方法で、プリント回路（２）のトラック（１６）に接触する、導電性底片（１５）を具備する。電流センサ（１）は、底片（１５）を介して流れる電流に比例する電圧を生成するように構成された、例えばホール効果センサ要素等のセンサ要素を具備する。【選択図】図２ｂ
2006242946.tif 000002
【特許請求の範囲】
【請求項１】
プリント回路における使用のための表面実装式集積電流センサ（１）であって、
該プリント回路（２）は、使用において計測されるべき電流がそれに沿って流れる、少なくとも１つの導電性トラック（１６）を具備しており、
該電流センサ（１）は、
使用において、該プリント回路（２）に面する面（１４）を有するパッケージ（３）と、
使用において、該計測されるべき電流がそれを介して流れる、電流経路（１５）と、
該電流経路（１５）に沿って流れる該電流に相互に関係する電気量を生成するように構成されたセンサ手段（１０，１１）と、
を具備しており、
該電流経路が、該パッケージ（３）の該面（１４）に設けられていて且つ使用において該プリント回路（２）の該トラック（１６）に接触するように構成される、導電性手段（１５）を具備することを特徴とする電流センサ。
【請求項２】
該導電性手段（１５）は、該プリント回路における該パッケージ（３）の最大の全体寸法内に完全に含まれることを特徴とする請求項１に記載の電流センサ。
【請求項３】
該導電性手段（１５）は、該面（１４）の周辺部の範囲内に完全に含まれることを特徴とする請求項１又は２に記載の電流センサ。
【請求項４】
該導電性手段は、板（１５）を具備することを特徴とする請求項１から３のいずれか一項に記載の電流センサ。
【請求項５】
該導電性手段は金属性板（１５）であることを特徴とする請求項１から４のいずれか一項に記載の電流センサ。
【請求項６】
該板（１５）は、該計測されるべき電流に従って寸法決定されることを特徴とする請求項４又は５に記載の電流センサ。
【請求項７】
該センサ手段（１０，１１）はホール効果タイプであることを特徴とする請求項１から６のいずれか一項に記載の電流センサ。
【請求項８】
該センサ手段（１０，１１）は分路を具備することを特徴とする請求項１から５のいずれか一項に記載の電流センサ。
【請求項９】
プリント回路（２）は、使用において計測されるべき電流がそれに沿って流れる、少なくとも１つの導電性トラック（１６）を具備しており、
該プリント回路が更に、請求項１から８のいずれか一項に記載の表面実装式集積電流センサ（１）を具備することを特徴とする、プリント回路。
【請求項１０】
該トラック（１６）は、該電流センサ（１）が実装される、対応する位置において抑制部（１７）を具備することを特徴とする請求項９に記載のプリント回路。
【請求項１１】
該抑制部（１７）は阻止部（１８）を具備しており、更に
該導電性手段（１５）は、該阻止部（１８）により分離される該トラック（１６）の２つの伸張部の端部を電気的に橋絡することを特徴とする請求項１０に記載のプリント回路。
【発明の詳細な説明】
【技術分野】
【０００１】
本発明は、表面に実装された集積型電流センサに関する。
【背景技術】
【０００２】
本発明は、ホール効果を利用する、電流センサの分野において有利ではあるが、それだけではない用途を開示する。ホール効果に続いて実施される処理について、一般性が失われないように、明確な説明を行う。
【０００３】
電流の計測に関して、ホール効果を利用する電流センサを使用することが公知であり、そのホール効果は、既知のように、電流自体の方向に直交する方向の向きの磁場が存在する、領域に設置された導電体（コンダクタ）を介する電流の通過に関連する現象である。特には、磁場は、電流の方向に直交する推力（スラスト）（ローレンツ力）を、電荷キャリアに対して作用させて、導電体の一つの縁部にそれらを蓄積するので、従って該縁部において電荷の過剰状態を形成し、対抗する縁部において必然的な電荷の不足状態を形成する。このことは、導電体の対向する縁部間にポテンシャル（電位）の差を結果的に生じるが、その量は、導電体自体を流れる電流に比例する。電流が横切り且つそれに直交する磁場が作用する、導電体の対向する縁部間のこのポテンシャル（電位）の差の存在は、正確にはホール効果という名称で呼ばれる。
【０００４】
上記で説明された現在のセンサにおいて、この効果は、計測される電流の導電性経路に沿う流れを生じることにより利用されて、それ（電流）に比例する磁場を生じており、それ（磁場）の範囲内において、磁場自体に直交する別の導電性経路が設定されており、それ（導電性電路）に沿って、テスト電流が流され、第２の導電性経路自体の対向する縁部間に形成されるポテンシャル（電位）差が計測される。
【０００５】
図１ａ、１ｂ、１ｃ及び１ｄは、ホール効果を利用する、４つの異なるタイプの既知の集積型電流センサを図解しており、即ち、それら（電流センサ）は、目的を持って形成された検知及び調整のための電子機器を介して、電流の通過により生じる磁場を検知し且つそれ（磁場）に比例する電圧にそれ（磁場）を変換するように構成された、ホール効果変換器を具備する。特には、図１ａは、計測されるべき電流が導電性経路に沿って流れる、電流センサを図示しており、その導電性経路は、電流センサ自体の一部を形成するのではなく、電流センサのパッケージ（実装体）に形成された開口を通り横切る。その一方で、図１ｂ、１ｃ及び１ｄは、３つの電流センサを図示しており、それらのセンサにおいて、計測されるべき電流は、電流センサの一部を形成していて且つ電流センサ自体の一部を形成する導電性経路に沿って電流センサのパッケージ内に形成される、導電性経路に沿って流れる。特には、図１ａ及び１ｂに図示される電流センサは、磁気コア（芯部）を具備しており、その磁気コアの空隙において、ホール効果変換器が設置されており、その磁気コアにおいて、計測されるべき電流により生じる磁場の流れは集中する。
【０００６】
図１ａから１ｄに示される電流センサにより計測可能な電流は、計測されるべき電流がそれを通り流れる、導電体の横断面に従がい、２から３アンペアから数百アンペアまで変化可能である。
【０００７】
広範に使用されているにもかかわらず、これらの電流センサは、これらのセンサの利点の全ての適切な利用を可能にしない、特定の限界により影響されている。特には、図１ａ及び１ｂに示す電流センサの主要な限界は、全体的な寸法及びプリント（印刷）回路内のそれらの集積の困難性である。このことは、それらがプリント回路において表面実装するのに適切なものからかけ離れていること、及びそれらが垂直方向においてプリント回路から著しく突き出るので、それらがプリント回路の積層の程度を限定してしまうことによる。
【０００８】
図１ｃに示される電流センサの主要な制限は、これとは別に、それがプリント回路における表面実装に適切なものからかなりかけ離れること、及び全体的な寸法によるものであり、後者（全体的な寸法）は、電流の計測に関与する端子の存在によるものであり、それら（端子）は、集積回路の従来型のピンのものに比べて著しくより大きい寸法を有しており、中でも、幾分障害になるような方法でパッケージから横に突き出ている。
【０００９】
最後に、図１ｄに示される電流センサの主要な制限は、計測されるべき電流が、従来のものと同じ寸法を有するピンを介して電流センサに導入されることであり、従来のものの小さくされた寸法は、電流センサにより計測可能な最大電流をかなり制限する。
【発明の開示】
【発明が解決しようとする課題】
【００１０】
本発明は従って、既知の電流センサの制限のない、集積型電流センサを提供することを目的としており、特には、高電流の計測を可能にし且つプリント回路における表面実装に適しており且つ小型の寸法を提供し且つそれを通り計測されるべき電流が流れる、経路に対してホール効果変換器の高精度の位置決めを可能にする、該集積型電流センサを提供することを目的としている。
【課題を解決するための手段】
【００１１】
上記の目的は、請求項１に規定されるような集積型電流センサに関する限りにおいて、本発明により実現される。
使用において計測されるべき電流がそれに沿って流れる、少なくとも１つの導電性トラック（軌道）（１６）を具備する、プリント回路（２）における使用のための表面実装式集積電流センサ（１）は、使用において該プリント回路（２）に面する面（１４）を有するパッケージ（３）と、使用において該計測されるべき電流がそれを介して流れる、電流経路（１５）と、電流経路（１５）に沿って流れる電流に相互に関係する電気量を生成するように構成されたセンサ手段（１０，１１）とを具備する。電流センサ（１）は、前記電流経路が、パッケージ（３）の面（１４）に設けられていて且つ使用においてプリント回路（２）のトラック（１６）に接触するように構成される、導電性手段（１５）を具備することを特徴とする。
【発明を実施するための最良の形態】
【００１２】
本発明のより良好な理解のために、好適な実施の形態が、添付される図面を参照して、純粋に制限されない例により、以下で説明される。
【００１３】
本発明による集積型電流センサは、図２ａ、２ｂ及び２ｃにおいて参照番号１により全体が図解され、指定されており、該集積型電流センサは特には、プリント（印刷）回路２における表面実装に適する。
【００１４】
電流センサ１は、エポキシ樹脂により典型的には製作される実質的に平行六面体形状のパッケージ（実装体）３を具備しており、それ（パッケージ（実装体）３）は、その内部に、リードフレーム４と、一般的に接着層６を介してリードフレーム４に固定された半導体材料により製作されるチップ（集積回路）５とを収容する。特には、支持構造４は、リード（リード線）７を具備しており、そのリード７の端子伸張部は、パッケージ３から外へ出ており、一般的に接合（ボンディング）を介して、プリント回路２のそれぞれの導電性トラック（軌道）９に使用において接続するように形成された外部ピン８を形成しており、その一方で、チップ５は、それの範囲内にホール効果変換器１０と、信号計測及び調整のための対応する電子機器１１とを集積しており、それらは、接触パッド１２に接続し、一般的に金により形成された接合（ボンディング）ワイア１３を介して、それぞれのリード７に順に接続する。
【００１５】
本発明に従がい、パッケージ３の底面１４、即ち、プリント回路２自体に使用において対面するものにおいて（即ち、電流センサ１がプリント回路２に実装される場合に）、実質的に矩形の形状を有する金属板により構成される導電性底片１５が設けられており、それは、パッケージ３の底面１４から突き出ており、ピン９と面一（平らに）に設けられる外面であって、電流センサ１がプリント回路２に実装される場合に、使用において計測されるべき電流がそれに沿って流れる、プリント回路１の導電性トラック（軌道）１６に橋絡するような形状で形成される外面と、更にホール効果変換器１０に対面していて且つ底片１５に可能な限り隣接するような位置においてチップ５内に形成された、内面と、を有する。
【００１６】
特には、底片１５は、これらがプリント回路２において突き出る際に、パッケージ３の最大の全体寸法内に完全に含まれており、特に、パッケージ３の底面の周辺部内に完全に含まれており、それ（底面）の殆どの部分を占領する。
【００１７】
底片１５の幅及び長さは、パッケージ３の寸法により制限されるが、その一方で厚みは、トラック１６に沿って流れる計測されるべき電流に耐えるような方法で選択される。
【００１８】
従来では、しかし必須ではなく、パワー（Ｐｏｗｅｒ）ＳＯ−８として商業的に知られるタイプのパッケージ３が、使用可能であり、それは、標準のＳＯ−８とは異なり、熱拡散の目的で設けられた金属製底片を装備する。
【００１９】
底片１５の寸法のイメージを理解するために、例えば、６０Ａ（アンペア）の電流を計測する例を考えると、トラック１６は、約３ｃｍの公称幅を有さなければならない一方で、パワー（Ｐｏｗｅｒ）ＳＯ−８パッケージでは、底片は、約０．３ｃｍの幅で且つ約０．４ｃｍの長さを有する。
【００２０】
図２ａ及び２ｃに図示される例において、トラック１６は、電流センサ１のトラックに比べてより大きな公称幅を有するので、数百アンペアオーダーの高電流の通過でさえ可能にしており、更に、底片１５の幅と実質的に等しい幅を有する、抑制部１７を有しており、それ（抑制部１７）に対応する位置において、底片１５自体の長さに比べてより短い長さを有する阻止部１８を備える。
【００２１】
電流センサ１は、トラック９にピン７を接合し更にトラック１６に底片１５を接合することにより、トラック１６の抑制部１７に対応する位置においてプリント回路に実装される。このようにして、底片１５は、トラック１６の２つの伸張部の端部を電気的に橋絡しており、それら（前記端部）は従って、阻止部１８により電気的に分離される。
【００２２】
電流センサ１の作動は、以下の記載において説明される。
トラック１６に沿って流れる、計測されるべき電流は、底片１５を横切るので、従って、それ（電流）に比例する磁場を生成し、その磁場は、ホール効果変換器１０により検知され、信号計測及び調整のための電子機器１１を介して、それ（磁場）に比例する電圧に変換される。このように生成された電圧はその後、この目的のために備えられた電流センサ１の１つ以上のピン９に供給される。
【００２３】
既知の技術による電流センサに比較して、本発明による電流センサ１は、下記の点において利点を提供する。
・計測の精度の面において明確な利点を有する状態で、計測されるべき電流がそれを通り流れる、経路に対するホール効果変換器の精確な位置決め。
・電磁的、機械的等の任意のタイプの外乱（外部撹乱）要素に対して電流計測において不感性（感じないこと）。
・計測されるべき電流に対する電流センサのコンパクト性：実際には、底片の寸法を適切に形成することにより、かなりの高電流を計測可能である。
・電流センサの寸法の小型化：底片は実際には、パッケージの全体寸法内に完全に含まれるので、それ（電流センサ）は、そこ（パッケージ）から横に突き出ない。
・プリント回路の構造における単純化。
・計測されるべき電流がそれに沿って流れる、プリント回路のトラックに沿って形成される抑制部は、その後電流センサが実装されるそれ（抑制部）に対応する位置において、トラックの電気抵抗の少しの局部的増加を含むけれども、該抑制部は、トラックの幅広い部分が、トラック自体の抑制部により生じる熱及び計測されるべき電流が電流センサの底片を介して流れることにより生成される熱の両者の熱の拡散器として機能する限り、任意の重要な局部的温度の増加を生じることはない。
【００２４】
最後に、修正及び変更が、記載される請求項に規定されるような、本発明の保護の範囲から逸脱することなしで、本明細書において説明され且つ図解された電流センサに対して実施可能であることが明白である。
【００２５】
特には、電流の計測は、上記で説明されたものとは異なる方法、即ち、ホール効果を利用しない方法で実施可能である。例えば、電流の計測は、底片に接続された分路を横切っていて且つ底片自体において流れる電流に比例する、電圧を計測することにより実施可能である。これとは別に、電流の計測は、底片自体を横切る電圧を直接計測することにより実施可能である。
【００２６】
また、底片は、図２ａから２ｃに図示される矩形のものとは異なる形状を有しても良く、あるいは底片は、例えば、お互いから距離を持って離れる一連の平行な直線のトラックのセット（組）、又は例えばジグザグ模様（パターン）等の異なる模様を有するトラック、等の、異なる導電性要素により置換されても良い。
【００２７】
結局、本発明の実施は、計測されるべき電流がそれに沿って流れる、プリント回路のトラックが阻止部を提供しなければならないことを意味しない。実際には、電流センサは、底片が同じ長さの抑制部の伸長部に平行に接続されるように、連続的な抑制部、即ち阻止部を有さない抑制部、に対応する位置に実装可能である。
【図面の簡単な説明】
【００２８】
【図１ａ】図１ａは、既知の技術に従がう電流センサの立体図である。
【図１ｂ】図１ｂは、既知の技術に従がう別の電流センサの立体図である。
【図１ｃ】図１ｃは、既知の技術に従がうまた別の電流センサの立体図である。
【図１ｄ】図１ｄは、既知の技術に従がう更に別の電流センサの立体図である。
【図２ａ】図２ａは、本発明による表面実装式集積型電流センサの立体図である。
【図２ｂ】図２ｂは、本発明による表面実装式集積型電流センサの横断面図である。
【図２ｃ】図２ｃは、本発明による表面実装式集積型電流センサの下から見た図である。
【符号の説明】
【００２９】
１    電流センサ
２    プリント回路
３    パッケージ
４    リードフレーム
５    チップ
６    接着層
７    リード
８    外部ピン
９    トラック（軌道）
１０    ホール効果変換器
１１    電子機器
１２    接触パッド
１３    接合ワイア
１４    底面
１５    底片
１６    トラック（軌道）
１７    抑制部
１８    阻止部
【図１ａ】
2006242946.tif 000003
【図１ｂ】
2006242946.tif 000004
【図１ｃ】
2006242946.tif 000005
【図１ｄ】
2006242946.tif 000006
【図２ａ】
2006242946.tif 000007
【図２ｂ】
2006242946.tif 000008
【図２ｃ】
2006242946.tif 000009
【外国語明細書】
2006242946000001.pdf